(57)【要約】【課題】所定の楽曲を録画データから抽出して音声ファイルを作成する処理を、抽出の開始点／終了点の手動指定を必要とすることなく実施できる記録再生装置を提供する。【解決手段】本発明の記録再生装置は、音声情報を含む再生情報の再生を行う再生処理部と、再生情報に含まれる音声情報の一部を抽出した部分音声情報を生成する音声抽出部とを備えている。また、音声抽出部を制御する抽出制御部を備えている。抽出制御部は、再生情報の再生時間軸の中から任意の再生位置の指定を受け付ける。そして指定された再生位置から所定範囲の再生時間内において、再生音量が閾値を越える再生位置を始点位置とする。さらに、始点位置の後方において所定の再生音声が検出された再生位置を終点位置とする。そして始点位置と終点位置とに挟まれた範囲の音声情報を抽出するよう、音声抽出部を制御する。これにより、部分音声情報を生成する。【選択図】図１
2011248202.tif 000002
【特許請求の範囲】
【請求項１】
音声情報を含む再生情報の再生を行う再生処理部と、
前記再生情報に含まれる音声情報の一部を抽出した部分音声情報を生成する音声抽出部とを備えた記録再生装置において、
前記再生処理部により前記再生情報を再生した場合における再生時間軸の中から任意の再生位置の指定を受け付け、該再生位置から予め定められた範囲の再生時間内において再生音量が閾値を越える再生位置を始点位置とし、前記始点位置の後方において予め定められた再生音声が検出された再生位置を終点位置とし、前記始点位置と前記終点位置とに挟まれた範囲の音声情報を抽出して前記部分音声情報を生成するよう前記音声抽出部を制御する抽出制御部を備えること
を特徴とする記録再生装置。
【請求項２】
前記抽出制御部は、前記部分音声情報の再生時間の長さを示す抽出時間の指定を受け付け、前記始点位置から前記抽出時間だけ後方の再生位置を前記終点位置として前記部分音声情報を生成するよう前記音声抽出部を制御すること
を特徴とする請求項１に記載の記録再生装置。
【請求項３】
操作指示を受け付ける操作部と、
前記再生情報を記録する記録部とを備え、
前記抽出制御部は、前記操作部により前記始点位置、または前記抽出時間の指定を受け付け、受け付けた前記指定に基づいて前記部分音声情報を生成するよう前記音声抽出部を制御し、生成された前記部分音声情報を前記記録部に記録すること
を特徴とする請求項２に記載の記録再生装置。
【請求項４】
前記再生情報が予め定められた種別のいずれに該当するかを判別する判別部を備え、
前記抽出制御部は、前記判別部により判別された種別に基づいて前記抽出時間を決定し、前記始点位置から該抽出時間だけ後方の再生位置を前記終点位置とすること
を特徴とする請求項３に記載の記録再生装置。
【請求項５】
前記抽出部制御は、前記始点位置の後方且つ拍手音声が検出された再生位置を前記終点位置とすること
を特徴とする請求項１〜請求項４のいずれかに記載の記録再生装置。
【請求項６】
前記抽出制御部は、生成した前記部分音声情報に含まれる音声のうち、該音声の終端から予め定められた再生時間だけ前方の再生範囲の音声に対してフェードアウト効果を施すこと
を特徴とする請求項１〜請求項５のいずれかに記載の記録再生装置。
【請求項７】
前記終点位置の決定に用いる音声、前記抽出時間、または前記フェードアウト効果を施す再生範囲に関する設定を、前記操作部を介して受け付ける設定部を備え、
前記抽出制御部は、前記設定に基づいて前記部分音声情報を生成するよう前記音声抽出部を制御すること
を特徴とする請求項６に記載の記録再生装置。
【発明の詳細な説明】
【技術分野】
【０００１】
本発明は、画像または音声の記録再生を行う記録再生装置に関するものであり、特に音声データの抽出機能を備えた記録再生装置に関する。
【背景技術】
【０００２】
近年、デジタル技術の多機能化、多様化により、ＤＶＤ（Digital Versatile Disc）プレーヤやＨＤＤ（Hard Disk Drive）レコーダ等の様々な記録再生装置が普及している。これらの記録再生装置は、ＤＶＤやＨＤＤに記録されている画像／音声デジタルデータをデコードすることにより、画像／音声信号をテレビジョン装置やモニタ、又はスピーカ等に出力する。
【０００３】
このような記録再生装置が再生する記録媒体には、一つの放送番組が一つのデータファイルとして記録されている場合がある。このような場合、ユーザが放送番組の中に含まれる所望の一楽曲のみを再生しようとすると、まず放送番組が含まれるデータファイルを再生し、その後に所望の一楽曲の位置まで早送りや巻き戻し等をする必要があった。このため所望の一楽曲の再生開始までに手間がかかり、ユーザに煩わしさを感じさせるという問題があった。
【０００４】
上記に関連して特許文献１においては、録音した放送番組中の楽曲に関するデータを蓄積し、ユーザが所望する楽曲のみを再生することが可能な放送番組記録再生装置が開示されている。
【０００５】
この放送番組記録再生装置は、記録部に記録された管理情報に基づいて、放送番組に含まれるイベントの開始位置と終了位置とを決定する。そしてイベントの開始位置と終了位置とに基づいて、放送番組中のイベントから所定のイベントを抽出してプレイリストを作成する。さらに、プレイリストに基づいて抽出された所定のイベントを再生する。
【０００６】
また上記に関連して特許文献２においては、ラジオ放送を録音する際に、時間的に連続する一連のラジオ放送内容が、聴取者側の意志や操作によらずに、所定の時間毎に一コンテンツファイルとされてＨＤＤ等に記録される受信装置が開示されている。
【０００７】
この受信装置は、音声信号と文字情報と記録制御信号とが多重化された放送信号を受信し、受信した放送信号から文字情報及び記録制御信号を抽出する。そして抽出された記録制御信号により指定される期間において、復調された音声信号を一コンテンツファイルとして記録媒体に記録する。
【先行技術文献】
【特許文献】
【０００８】
【特許文献１】特開２００７−２８２２６号公報
【特許文献２】特開２００５−１２３７８２号公報
【発明の概要】
【発明が解決しようとする課題】
【０００９】
しかしながら特許文献１の記録再生装置においては、抽出する音声の開始点と終了点とをユーザが手動で指定する必要があった。また、特許文献２の受信装置では、複数の楽曲をひとつにまとめることはできるが、一楽曲のみを抽出して音声ファイルを作成することはできなかった。
【００１０】
このため、録画された放送番組をユーザが視聴している状態において、ユーザの気に入っている一楽曲が偶発的に再生開始された場合に、再生を継続しつつ、簡易な操作で一楽曲のみを含む音声ファイルを作成することはできなかった。
【００１１】
本発明は、上記の問題を鑑みてなされたものであり、音声を含む再生情報、例えば録画データの再生を行っている状態において、ユーザが所望する一楽曲を再生情報から抽出して音声ファイルを作成することが可能であるとともに、抽出の開始点または終了点をユーザが手動で指定する必要のない記録再生装置を提供することにある。
【課題を解決するための手段】
【００１２】
上記目的を達成するために本発明の記録再生装置は、音声情報を含む再生情報の再生を行う再生処理部と、前記再生情報に含まれる音声情報の一部を抽出した部分音声情報を生成する音声抽出部とを備えた記録再生装置において、前記再生処理部により前記再生情報を再生した場合における再生時間軸の中から任意の再生位置の指定を受け付け、該再生位置から予め定められた範囲の再生時間内において再生音量が閾値を越える再生位置を始点位置とし、前記始点位置の後方において予め定められた再生音声が検出された再生位置を終点位置とし、前記始点位置と前記終点位置とに挟まれた範囲の音声情報を抽出して前記部分音声情報を生成するよう前記音声抽出部を制御する抽出制御部を備えることを特徴としている。
【００１３】
この構成によると、本発明の記録再生装置は、音声情報を含む再生情報の再生を行う再生処理部と、再生情報に含まれる音声情報の一部を抽出した部分音声情報を生成する音声抽出部とを備えている。また、音声抽出部を制御する抽出制御部を備えている。抽出制御部は、再生情報の再生時間軸の中から任意の再生位置の指定を受け付ける。そして指定された再生位置から所定範囲の再生時間内において、再生音量が閾値を越える再生位置を始点位置とする。さらに、始点位置の後方において所定の再生音声が検出された再生位置を終点位置とする。そして始点位置と終点位置とに挟まれた範囲の音声情報を抽出するよう、音声抽出部を制御する。これにより、部分音声情報を生成する。
【００１４】
また、上記目的を達成するために本発明の記録再生装置が備える前記抽出制御部は、前記部分音声情報の再生時間の長さを示す抽出時間の指定を受け付け、前記始点位置から前記抽出時間だけ後方の再生位置を前記終点位置として前記部分音声情報を生成するよう前記音声抽出部を制御することを特徴としている。
【００１５】
この構成によると、抽出制御部は、部分音声情報の再生時間の長さを示す抽出時間の指定をユーザより受け付ける。そして始点位置から抽出時間だけ後方の再生位置を終点位置として音声情報を抽出し、部分音声情報を作成する。
【００１６】
また、上記目的を達成するために本発明の記録再生装置は、操作指示を受け付ける操作部と、前記再生情報を記録する記録部とを備え、前記抽出制御部は、前記操作部により前記始点位置、または前記抽出時間の指定を受け付け、受け付けた前記指定に基づいて前記部分音声情報を生成するよう前記音声抽出部を制御し、生成された前記部分音声情報を前記記録部に記録することを特徴としている。
【００１７】
この構成によると、記録再生装置は、操作指示を受け付ける操作部と、記再生情報を記録する記録部とを備えている。抽出制御部は、操作部により始点位置、または抽出時間の指定を受け付ける。そして受け付けた指定に基づいて部分音声情報を生成して記録部に記録する。
【００１８】
また、上記目的を達成するために本発明の記録再生装置は、前記再生情報が予め定められた種別のいずれに該当するかを判別する判別部を備え、前記抽出制御部は、前記判別部により判別された種別に基づいて前記抽出時間を決定し、前記始点位置から該抽出時間だけ後方の再生位置を前記終点位置とすることを特徴としている。
【００１９】
この構成によると、記録再生装置は、再生情報が予め定められた種別のいずれに該当するかを判別する判別部を備えている。また抽出制御部は、判別部により判別された種別に基づいて抽出時間を決定し、始点位置からこの抽出時間だけ後方の再生位置を終点位置とする。
【００２０】
また、上記目的を達成するために本発明の記録再生装置が備える前記抽出部制御は、前記始点位置の後方且つ拍手音声が検出された再生位置を前記終点位置とすることを特徴としている。
【００２１】
この構成によると、抽出制御部は、始点位置の後方且つ拍手音声が検出された再生位置を終点位置として部分音声情報を生成する。
【００２２】
また、上記目的を達成するために本発明の記録再生装置が備える前記抽出制御部は、生成した前記部分音声情報に含まれる音声のうち、該音声の終端から予め定められた再生時間だけ前方の再生範囲の音声に対してフェードアウト効果を施すことを特徴としている。
【００２３】
この構成によると、音声抽出部は、生成した部分音声情報に含まれる音声のうち、音声の終端から所定の再生時間だけ前方の再生範囲の音声に対してフェードアウト効果を施す。
【００２４】
また、上記目的を達成するために本発明の記録再生装置は、前記終点位置の決定に用いる音声、前記抽出時間、または前記フェードアウト効果を施す再生範囲に関する設定を、前記操作部を介して受け付ける設定部を備え、前記抽出制御部は、前記設定に基づいて前記部分音声情報を生成するよう前記音声抽出部を制御することを特徴としている。
【００２５】
この構成によると、記録再生装置は、終点位置の決定に用いる音声、抽出時間、またはフェードアウト効果を施す再生範囲に関する設定を、操作部を介して受け付ける設定部を備えている。また抽出制御部は、この設定に基づいて部分音声情報の生成を行う。
【発明の効果】
【００２６】
本発明によれば、放送番組を録画した録画データ等の再生情報から一楽曲を抽出して音声ファイルを作成する処理を、簡易なユーザ操作で実現できる。また、音量が所定値を越えて大きくなる再生位置や、拍手音声が検知された再生位置に基づいて始点位置や終点位置を決定するため、ユーザは手動で始点位置及び終点位置を細かく設定する必要がなく、利便性が向上する。また、楽曲の終端の検索に失敗した場合であっても、再生情報の種別に基づいて、好適な長さの音声ファイルを作成することが可能である。
【図面の簡単な説明】
【００２７】
【図１】本発明の第一の実施形態に係る記録再生装置が備える機能部の構成を示すブロック図である。
【図２】本発明の第一の実施形態に係る記録再生装置の内部構成を示すブロック図である。
【図３】本発明の第一の実施形態に係る音声ファイル作成処理を示すフロー図である。
【図４】本発明の第一の実施形態に係る抽出点指定画面を示す画面図である。
【図５】本発明の第二の実施形態に係る記録再生装置が備える機能部の構成を示すブロック図である。
【図６】本発明の第二の実施形態に係る記録再生装置の内部構成を示すブロック図である。
【図７】本発明の第二の実施形態に係る音声ファイル作成処理を示すフロー図である。
【発明を実施するための形態】
【００２８】
以下に本発明の実施形態を、図面を参照しながら説明する。なお、ここで示す実施形態は一例であり、本発明はここに示す実施形態に限定されるものではない。
〈１−１．内部構成について〉
【００２９】
図２は、本発明の第一の実施形態に係るＨＤＤレコーダ１（＝記録再生装置）の内部構成を示すブロック図である。なお、図２における矢印線は画像／音声データの流れを示している。また、矢印のない直線は、制御部１１が各装置に対する制御信号等を送受信するための通信バスを示している。
【００３０】
ＨＤＤレコーダ１は少なくとも、制御部１１、メモリ１２、操作部１３、フラッシュメモリ１４（＝記録部）、ＨＤＤ１５（＝記録部）、光ディスクドライブ１６、放送受信部１７、信号処理部１８（＝再生処理部）、ＯＳＤ（On-Screen Display）処理部１９、及び外部接続端子２０を含むように構成されている。なお外部接続端子２０により接続される表示装置として、ディスプレイ２が存在する。
【００３１】
制御部１１は、ＨＤＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する音声抽出部１１ａ〜設定部１１ｃ（図１）を備えている。
【００３２】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３３】
操作部１３は、ユーザがＨＤＤレコーダ１に対して、画像／音声の再生指示等を行うためのものである。操作部１３は、例えばＨＤＤレコーダ１のハウジングに設けられた複数のボタンや、図示しないリモコン及びリモコン信号受信部等を含む。操作部１３はこれらの装置により、ユーザ操作を受け付ける。
【００３４】
ユーザ操作が受け付けられると、制御部１１は、操作内容に基づいて再生処理や記録処理等を行う。なお本実施形態の操作部１３は、後述するファイル作成ボタンや始点ボタン（不図示）を含んでいる。ユーザはファイル作成ボタンを押下することにより、押下時に再生されているコンテンツから音声ファイルを作成する処理を開始可能である。
【００３５】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３６】
ＨＤＤ１５は、デジタルデータを記録する磁気記録媒体である。本実施形態では主に、放送波に含まれる画像／音声データから生成される録画データ（＝再生情報）や、ファイル作成ボタンにより作成された音声ファイルを記録するのに用いられる。
【００３７】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３８】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３９】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。
【００４０】
信号処理部１８は、放送受信部１７が生成したＴＳや、ＨＤＤ１５またはディスクドライブ１６に装着された光ディスクより読み出されたデジタルデータを入力する。そして音声情報を含む音声デジタル信号と、画像情報を含む画像デジタル信号とに分離する。
【００４１】
信号処理部１８は、例えばデジタル形式の画像／音声ファイルであるＭＰＥＧ２（Moving Picture Experts Group phase 2）ファイルをユーザ操作に基づいてＨＤＤ１５より読み出し、読み出したデジタルデータを、音声情報を含む音声デジタル信号と、画像情報を含む画像デジタル信号とに分離する。復号により得られたデジタル信号は、外部接続端子２０へ与えられる。
【００４２】
ＯＳＤ処理部１９は、画像信号を生成する機能部である。ＯＳＤ処理部１９は、ＨＤＤレコーダ１が出力すべき情報をユーザが視認できる画像データに変換し、変換した画像データをディスプレイ２に表示するための画像信号を生成する。生成された画像信号は、外部接続端子２０より出力される。
【００４３】
外部接続端子２０は、例えばＨＤＭＩ（High Definition Multimedia Interface）端子やＵＳＢ（Universal Serial Bus）端子等を含む、複数の入出力端子からなるインタフェースである。外部接続端子２０はこれらの入出力端子を用いて、ＨＤＤレコーダ１と外部の装置、例えばディスプレイ２を接続し、デジタル信号またアナログ信号の入出力を行う。
【００４４】
ディスプレイ２は、表示部、操作部、制御部、及び接続部を備える表示装置である。例えば接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
〈１−２．機能部の構成について〉
【００４５】
ここで、本発明の第一の実施形態に係るＨＤＤレコーダ１が音声ファイル作成処理を実施するための各機能部の関係を、図１のブロック図を用いながら説明する。
【００４６】
図１に示すように本発明の音声ファイル作成処理は、制御部１１が備える音声抽出部１１ａ、音声ファイル作成部１１ｂ（＝抽出制御部）、及び設定部１１ｃにより実施される。
【００４７】
音声抽出部１１ａは、画像／音声を含む再生情報から、所定の再生範囲内の音声情報を抽出する。なお抽出を実施するためには、抽出を開始する再生位置である始点位置と、抽出を終了する再生位置である終点位置とを、予め音声抽出部１１ａに指定する必要がある。
【００４８】
音声ファイル作成部１１ｂは、音声抽出部１１ａに対して、上記の始点位置と終点位置との指定を行う。また抽出された音声情報より、音声ファイル（＝部分音声情報）を作成してＨＤＤ１５等に記録する。
【００４９】
音声ファイル作成部１１ｂは、操作部１３に含まれる所定ボタン、例えば音声ファイルの作成開始ボタンが押下され、且つ始点ボタンが押下されたのを検知すると、始点ボタンが押下された再生位置から前後十秒の範囲の音量を測定する。そして測定された音量が所定の閾値を超える再生位置を検索する。
【００５０】
なおこの検索は、例えば音量を示す絶対値としてのデシベルが、閾値を超える位置を検出することにより行う。或いは、音量の相対的な変化量が所定量を越えて急激に変化した位置を検出することにより行う形態でもよい。
【００５１】
閾値を超える再生位置の検索に成功した場合、この再生位置を始点位置とする。検索に失敗した場合、図４に示す始点位置指定画面１００を表示し、検索範囲の指定をユーザより受け付ける。なお始点位置指定画面１００を表示するための画像信号は、ＯＳＤ処理部１９により生成される。そして生成された画像信号を、外部接続端子２０を介してディスプレイ２へ出力する。これにより、始点位置指定画面１００がディスプレイ２に表示される。
【００５２】
始点位置指定画面１００には、ウィンド１０１、再生時間メータ１０２、カーソル１０３、及び検索範囲１０４が含まれる。ユーザは操作部１３を用いて、カーソル１０３を再生時間メータ１０２の範囲内で移動させることにより、再生位置を変更することができる。つまり早送り操作や巻き戻し操作を行うことができる。
【００５３】
検索範囲１０４は、現在の再生位置から所定時間だけ前後の範囲、例えば前後十秒の範囲を示している。カーソル１０３により再生位置が変更されると、カーソル１０３の位置を中心として、検索範囲１０４の位置も移動される。所定の再生位置にカーソル１０３があわせられている状態で操作部１３に含まれる決定キーが押下されると、この検索範囲１０４の範囲内で、音量が閾値を超える再生位置が検索される。検索に成功すると、その再生位置を始点位置とする。なお検索に失敗した場合、再び検索の実施を要求するか、或いはカーソル１０３の位置を始点位置とする。
【００５４】
また音声ファイル作成部１１ｂは、始点位置の後方において所定の種別の音声、例えば拍手音声が検出された再生位置を、音声の抽出の終点位置とする。なお拍手音声の検出方法としては、例えば拍手音声の波形、波長、または周波数を予め調査してフラッシュメモリ１４等に記録しておき、再生音声の波形、波長、または周波数と比較を行うことにより検出する。
【００５５】
なお音声ファイル作成部１１ｂは、抽出した音声情報から音声ファイルを生成する際に、地上波デジタル放送のＥＰＧやデータ放送から曲目リストが取得可能であれば、曲目リストに含まれている曲名からファイル名を決定する形態でもよい。
【００５６】
設定部１１ｃは、音声ファイルの生成処理に関連する各種設定をユーザより受け付ける。なお設定情報はフラッシュメモリ１４またはＨＤＤ１５に記録される。設定部１１ｃは、終点位置の決定に用いる音声を示す音声情報、音声の抽出時間、またはフェードアウト効果を施す再生範囲等に関する設定を、操作部１３を介して受け付ける。
【００５７】
例えば設定部１１ｃは、上記の拍手音声が検出されない場合を想定して、予め抽出時間の入力をユーザより受け付けておく。音声ファイル作成部１１ｂは、始点位置からこの抽出時間だけ後方の再生位置を、終点位置とする。
〈１−３．音声ファイル作成処理について〉
【００５８】
ここで、本発明の第一の実施形態に係るＨＤＤレコーダ１が実施する音声ファイル作成処理を、図３のフロー図を用いながら説明する。
【００５９】
図３に示す処理は、ＨＤＤレコーダ１の電源が駆動しており、且つＨＤＤレコーダ１が再生情報の再生処理を実施している状態において、音声ファイル作成処理の実行指示が検知された場合に開始される。なお上記の実行指示は、例えば操作部１３に含まれる作成開始ボタンが押下された場合等に発行される。
【００６０】
本処理の開始後、音声ファイル作成部１１ｂはステップＳ１１０において、音声の抽出時間、つまり生成する音声ファイルの長さの指定を、操作部１３により受け付けるのを開始する。なお、抽出時間の指定は必ずしも必須ではないため、受付を開始した時点で次のステップＳ１２０へ移行する。
【００６１】
次に音声ファイル作成部１１ｂはステップＳ１２０において、音声ファイルの始点位置の指定が検知されたか否かを判定する。なお始点位置の指定は例えば、操作部１３に含まれる始点ボタンが押下された場合等に発行される。始点位置の指定が検知されていない場合、再びステップＳ１１０へ移行する。
【００６２】
始点位置の指定が検知された場合、音声ファイル作成部１１ｂはステップＳ１３０において、指定された始点位置の前後所定範囲内から、音量が閾値を越える再生位置を検索する。
【００６３】
次に音声ファイル作成部１１ｂはステップＳ１４０において、上記の検索に成功したか否かを判定する。検索に成功した場合、後述するステップＳ１５０へ移行する。検索に失敗した、音声ファイル作成部１１ｂはステップＳ１４１において、図４に示す始点位置指定画面１００を表示し、検索範囲の手動指定を要求する。検索範囲の手動指定が行われると、ステップＳ１５０へ移行する。
【００６４】
次に音声ファイル作成部１１ｂはステップＳ１５０において、上記で検索された再生位置から、ステップＳ１１０で受け付けた指定時間の範囲内で、再生音声の確認を行う。そして再生音声の中から、拍手音声の検出を行う。
【００６５】
次に音声ファイル作成部１１ｂはステップＳ１６０において、拍手音声の検出に成功したか否かを判定する。検出に成功した場合、音声ファイル作成部１１ｂはステップＳ１７０において、拍手音声が検出された再生位置を抽出処理の終点位置として設定する。そして上記の始点位置と終点位置との間の音声を抽出するよう、音声抽出部１１ａに指示する。音声抽出部１１ａによる抽出が完了すると、後述するステップＳ１８０へ移行する。
【００６６】
拍手音声の検出に失敗した場合、音声ファイル作成部１１ｂはステップＳ１７１において、始点位置から、ステップＳ１１０で受け付けた抽出時間だけ後方の再生位置を、終点位置として設定する。そして上記の始点位置と終点位置との間の音声を抽出するよう、音声抽出部１１ａに指示する。
【００６７】
さらに音声ファイル作成部１１ｂはステップＳ１７２において、指定された抽出時間に基づいて抽出処理を行ったことを示す画像信号を生成してディスプレイ２へ出力するよう、ＯＳＤ処理部１９を制御する。例えば、「指定時間で音声の検出を終了しました」等の文字画像を生成して出力する。出力が終了すると、ステップＳ１８０へ移行する。
【００６８】
次に音声ファイル作成部１１ｂはステップＳ１８０において、音声抽出部１１ａにより抽出されて音声情報の再生終端部分に対して、音量を徐々に下げる効果であるフェードアウト効果を施す。なお終端部分とは、例えば抽出された音声情報を再生した場合における最後の五秒間等の範囲を、予め終端部分として定めておく。フェードアウト処理が完了すると、フェードアウト処理を施した音声情報を音声ファイルとしてＨＤＤ１５に記録し、本処理を終了する。
【００６９】
以上に説明した本実施形態によれば、ユーザが再生情報を再生して視聴している状態において、ユーザの気に入った楽曲が再生開始された時点で、作成開始ボタン及び始点ボタンを使用した簡易な操作で、一楽曲のみの音声ファイルを作成することができる。
【００７０】
また本実施形態によれば、音量が閾値を越えて大きくなる再生位置や、拍手音声が検知された再生位置に基づいて始点位置や終点位置を決定するため、ユーザは手動で始点位置及び終点位置を細かく設定する必要がなく、簡易な操作で範囲指定ができるため、利便性が向上する。
[実施の形態２]
【００７１】
次に、本発明の第二の実施形態について説明する。
〈２−１．内部構成について〉
【００７２】
本実施形態の第一のＨＤＤレコーダ１は、図６に示すように、外部接続端子２０により携帯電話３を接続して相互通信可能としている。その他の構成については、実施の形態１と同内容であるため、ここでは説明を省略する。
〈２−２．機能部の構成について〉
【００７３】
本実施形態の第一のＨＤＤレコーダ１は、図５に示すように、実施の形態１の各機能部に加え、ジャンル判別部１１ｄ（＝判別部）及びファイル転送部１１ｅを備える。また、音声ファイル作成部１１ｂの機能が実施の形態１と一部異なる。
【００７４】
ジャンル判別部１１ｄは、抽出対象の再生情報のジャンル情報を取得し、ジャンル情報が示すジャンル（＝種別）に応じて、抽出時間を決定する。なおジャンル情報は、例えば録画時にＥＰＧ等から取得されて録画データの内部に含められているものとする。
【００７５】
また、ジャンルに応じた抽出時間の長さは、例えば予めＨＤＤレコーダ１の生産時または工場出荷時等に定められてＨＤＤレコーダ１に記録されているものとする。或いは、ジャンルに応じた抽出時間の長さに関する設定を、設定部１１ｃがユーザより受け付ける形態でもよい。この場合、受け付けた内容は設定情報としてフラッシュメモリ１４等に記録される。
【００７６】
ファイル転送部１１ｅは、抽出された音声より音声ファイルが生成された場合に、音声ファイルを所定の外部装置、例えば図６に示す携帯電話３等に送信する。これにより、ユーザ操作を必要とすることなく、音声ファイルの転送が行われる。なお、音声ファイルの転送先に関する各種設定は、予め設定部１１ｃがユーザより受け付け、設定情報としてフラッシュメモリ１４等に記録しているものとする。
【００７７】
本実施形態の音声ファイル作成部１１ｂは、音声ファイルの作成開始指示を検知した場合に、抽出時間の指定受付（図３のステップＳ１１０）を行わない。代わりに、ジャンル判別部１１ｄを用いて再生情報のジャンル情報を取得し、ジャンル判別部１１ｄが決定した抽出時間に基づいて抽出を行う。
〈２−３．音声ファイル作成処理について〉
【００７８】
ここで、本発明の第二の実施形態に係るＨＤＤレコーダ１が実施する音声ファイル作成処理を、図７のフロー図を用いながら説明する。なお、第一の実施形態の図３と同内容の処理については、同じステップ番号を付加することにより説明を省略するものとする。
【００７９】
ステップＳ１２０〜ステップＳ１６０の実施後、ステップＳ１６０において拍手音声が検知されなかった場合、ジャンル判別部１１ｄはステップＳ１７３において、再生している録画データのジャンルを示すジャンル情報を取得し、ジャンルを判別する。そして判別したジャンルに対応する抽出時間を、音声ファイル作成部１１ｂに与える。
【００８０】
次に音声ファイル作成部１１ｂはステップＳ１７４において、上記で与えられた抽出時間で抽出を行うよう、音声抽出部１１ａに指示する。さらに音声ファイル作成部１１ｂはステップＳ１７５において、ジャンルに基づく抽出時間で抽出処理を行ったことを示す画像信号を、ＯＳＤ処理部１９により生成してディスプレイ２へ出力する。
【００８１】
例えば、「クラッシック音楽用の抽出時間で音声の抽出を行いました」等の文字画像を生成して出力する。出力が終了すると、ステップＳ１８０へ移行し、フェードアウト処理を施した音声ファイルを生成する。
【００８２】
次にファイル転送部１１ｅはステップＳ１９０において、生成された音声ファイルを、外部接続端子２０を用いて携帯電話３へ送信する。送信処理が完了すると、本処理を終了する。なお、転送が成功または失敗したことを示す画像信号をＯＳＤ処理部１９により生成してディスプレイ２へ出力する形態でもよい。
【００８３】
以上に説明した本実施形態によれば、楽曲の終端の検索に失敗した場合であっても、録画データのジャンルに基づいて、好適な長さの音声ファイルを作成することが可能である。また作成した音声ファイルを、ユーザ操作を必要とすることなく、携帯電話３等の再生装置に転送することが可能である。
［その他の実施の形態］
【００８４】
以上、好ましい実施の形態及び実施例を挙げて本発明を説明したが、本発明は必ずしも上記実施の形態に限定されるものではなく、その技術的思想の範囲内において様々に変形して実施することができる。
【００８５】
従って本発明は、以下の形態にも適用可能である。
【００８６】
（Ａ）上記実施形態では、記録再生装置の一例としてＨＤＤレコーダ１を例に挙げているが、これ以外の記録再生装置を用いて本発明を実施する形態でもよい。例えば、ＤＶＤ（Digital Versatile Disc）プレーヤ、ＶＣＲ（Video Cassette Recorder）、録画機能を備えたテレビジョン装置等を用いる形態であってもよい。
【００８７】
（Ｂ）上記実施形態では、本発明の音声ファイル作成処理に関わる各機能部が、マイクロプロセッサ等の演算処理装置上でプログラムを実行することにより実現されているが、各機能部が複数の回路により実現される形態でもよい。
【００８８】
（Ｃ）上記実施形態では、本発明の音声ファイル作成処理に関わる各機能部がＨＤＤレコーダ１の内部に備わっている構成を例として説明したが、これらの一部がネットワークを介して接続された外部装置により実現される形態であってもよい。例えば、録画データのジャンルを判別する処理を、ジャンル判別部１１ｄではなく外部の情報処理サーバ（不図示）により実施する形態でもよい。
【００８９】
（Ｄ）上記実施形態では、音声ファイルが作成されるタイミングとして、録画データの再生中を例に説明を行っているが、これ以外のタイミングにおいて音声ファイルを作成する形態でもよい。例えば、録画データの録画中において後追い再生が実施されている状態において、作成開始ボタンが押下されることにより音声ファイルが作成される形態でもよい。
【００９０】
（Ｅ）上記実施形態では、放送番組を録画した録画データから音声を抽出して音声ファイルを生成しているが、これ以外のデータから音声を抽出して音声ファイルを生成する形態でもよい。例えば、ＤＶＤ等の光ディスクに記録されているコンサート動画や映画等から音声を抽出して音声ファイルを生成する形態でもよい。
【００９１】
（Ｆ）上記実施形態では、生成した音声ファイルの終端にフェードアウト効果を施しているが、この以外の部分に音声加工処理を施す形態でもよい。例えば音声ファイルの再生開始部分にフェードイン効果を施す形態でもよい。或いは、音声の抽出時において拍手音声やノイズ、緊急速報音声等の所定音声が検出されたか否かを判定し、検出された場合に当該音声を消去して音声ファイルを作成する形態でもよい。または、これらが検出された再生範囲を、音声ファイルの作成対象外として抽出しない形態でもよい。
【００９２】
（Ｇ）上記実施形態では、音声ファイル抽出時において抽出処理が完了するまでの時間に関しては特に規定していないが、等速で再生を実施しつつ抽出を行うか、或いは倍速再生機能を利用して再生時間よりも短い時間で抽出を行うかの指定をユーザより受け付け、指定に基づいて抽出方法を変更する形態でもよい。
【符号の説明】
【００９３】
１      ＨＤＤレコーダ（記録再生装置）
１１    制御部
１１ａ  音声抽出部
１１ｂ  音声ファイル作成部（抽出制御部）
１１ｃ  設定部
１１ｄ  ジャンル判別部（判別部）
１１ｅ  ファイル転送部
１２    メモリ
１３    操作部
１４    フラッシュメモリ（記録部）
１５    ＨＤＤ（記録部）
１６    光ディスクドライブ
１７    放送受信部
１８    信号処理部（再生処理部）
１９    ＯＳＤ処理部
２０    外部接続端子
【図１】
2011248202.tif 000003
【図２】
2011248202.tif 000004
【図３】
2011248202.tif 000005
【図４】
2011248202.tif 000006
【図５】
2011248202.tif 000007
【図６】
2011248202.tif 000008
【図７】
2011248202.tif 000009